(57)【要約】【課題】装置全体のコンパクト化を図りつつ、移動体を光軸方向に駆動する際の推力を向上させることが可能なレンズ駆動装置を提供する。【解決手段】移動体（鏡筒１４等）と、移動体を光軸方向に移動可能に支持する固定体（バックヨーク１１等）と、磁気駆動機構（マグネット１７等）と、固定体の被写体側を覆うカバー部（カバー１２）と、を有するレンズ駆動装置１において、磁性材料からなるカバー部は、磁気駆動機構より被写体側に配置されるとともに、磁気駆動機構と磁路を形成する磁路形成部（板部１２１や爪部１２１ａ〜１２１ｄ）を備える。【選択図】図２
2009047858.tif 000002
【特許請求の範囲】
【請求項１】
レンズを備えた移動体と、前記移動体を光軸方向に移動可能に支持する固定体と、コイルとマグネットを備え、前記移動体を光軸方向に駆動する磁気駆動機構と、前記固定体の被写体側を覆うカバー部と、を有するレンズ駆動装置において、
前記カバー部は、磁性材料からなり、前記磁気駆動機構より被写体側に配置されるとともに、前記磁気駆動機構と磁路を形成する磁路形成部を備えることを特徴とするレンズ駆動装置。
【請求項２】
前記磁路形成部は、前記移動体を位置決めするストッパー部から構成されることを特徴とする請求項１記載のレンズ駆動装置。
【請求項３】
前記ストッパー部は、前記移動体の周方向における移動を規制する第一規制部を備えていることを特徴とする請求項２記載のレンズ駆動装置。
【請求項４】
前記ストッパー部は、前記移動体の光軸方向における移動を規制する第二規制部を備えていることを特徴とする請求項２又は３記載のレンズ駆動装置。
【請求項５】
前記ストッパー部は、前記移動体のラジアル方向における移動を規制する第三規制部を備えていることを特徴とする請求項２から４のいずれか記載のレンズ駆動装置。
【請求項６】
前記磁路形成部は、前記移動体に形成された凹部に係合することを特徴とする請求項１から５のいずれか記載のレンズ駆動装置。
【発明の詳細な説明】
【技術分野】
【０００１】
本発明は、レンズを光軸方向に変位駆動して被写体の像を結像させるレンズ駆動装置に関する。
【背景技術】
【０００２】
近年、カメラが搭載されたカメラ付き携帯電話機が普及するにつれ、その携帯電話機を用いて様々な被写体を撮影する機会が増えている。例えば、友人や風景など、カメラのレンズからある程度離れた被写体を撮影（通常撮影）したり、バスの時刻表や花びらなど、カメラのレンズと近接した位置にある被写体を撮影（接写撮影）したりする場合がある。
【０００３】
接写撮影（マクロ撮影）の場合、カメラのレンズ位置は、通常撮影時のレンズ位置よりも、僅かに被写体側に近づいた位置にする必要がある。そのため、この種の撮影レンズ系では、レンズを光軸方向に変位駆動する磁気駆動機構を備えており、スイッチの切り替えによってこの磁気駆動機構を駆動し、レンズを光軸方向に移動させることができるようになっている。例えば、レンズを備えた移動体と、光軸方向において離間する２箇所に配置された２枚の板バネを介して、移動体を光軸方向に移動可能に支持する固定体と、コイルとマグネットにより、移動体を光軸方向に駆動する磁気駆動機構と、固定体の被写体側を覆うカバー部と、を有するカメラ用アクチュエータが提案されている（特許文献１参照）。
【０００４】
特許文献１に開示されたカメラ用アクチュエータでは、全高を低くするため、カバー部を構成する金属板として、薄いステンレス板が用いられている。また、レンズユニットの推力向上のため、マグネットとコイルを覆うように、フロントヨークとバックヨークが設けられている。
【０００５】
【特許文献１】特開２００７−６５４３２号公報（段落番号［００５０］，図１）
【発明の開示】
【発明が解決しようとする課題】
【０００６】
しかしながら、カバー部として非磁性材のステンレス板を用いた場合、これを磁気回路の一部とすることができない。そのため、アクチュエータの推進能力を最大限に引き出しているとは言い難い。
【０００７】
この点、上述したカメラ用アクチュエータでは、フロントヨークとバックヨークに集磁機能をもたせていることから、アクチュエータの推進能力は引き出されている、とも考えられる。しかし、両ヨークがある分だけ、径方向におけるヨークの空間占有率が増え、その結果、径方向におけるコンパクト化の要請を満たすことができない。
【０００８】
本発明は、以上の点に鑑みてなされたものであり、その目的は、装置全体のコンパクト化を図りつつ、移動体を光軸方向に駆動する際の推力を向上させることが可能なレンズ駆動装置を提供することにある。
【課題を解決するための手段】
【０００９】
以上のような課題を解決するために、本発明は、以下のものを提供する。
【００１０】
（１）  レンズを備えた移動体と、前記移動体を光軸方向に移動可能に支持する固定体と、コイルとマグネットを備え、前記移動体を光軸方向に駆動する磁気駆動機構と、前記固定体の被写体側を覆うカバー部と、を有するレンズ駆動装置において、前記カバー部は、磁性材料からなり、前記磁気駆動機構より被写体側に配置されるとともに、前記磁気駆動機構と磁路を形成する磁路形成部を備えることを特徴とするレンズ駆動装置。
【００１１】
本発明によれば、移動体を光軸方向に移動可能に支持する固定体と、移動体を光軸方向に駆動する磁気駆動機構と、固定体の被写体側を覆うカバー部とを有するレンズ駆動装置で、カバー部は、磁性材料からなり、磁気駆動機構より被写体側に配置するとともに、そのカバー部に、磁気駆動機構と磁路を形成する磁路形成部を設けることとしたので、その磁路形成部の存在によって、漏れ磁束を少なくすることができ、磁気回路のパーミアンスが向上する。
【００１２】
したがって、移動体を光軸方向に駆動する際の推力を向上させることができる。一般に、レンズ駆動装置に流せる電流値（規定電流値）は定められており、本発明は、電流値を増大させることなく（規定電流値を超えないようにして）、効果的にコイル推力を確保することができる。
【００１３】
また、本発明は、従来のカメラアクチュエータのように、フロントヨークとバックヨークの双方を備えるものではない。したがって、径方向におけるコンパクト化を図ることもできる。
【００１４】
ここで、「磁路形成部」は、磁気駆動機構と磁路を形成するものであれば、その大きさ・形状・数などの如何は問わない。
【００１５】
（２）  前記磁路形成部は、前記移動体を位置決めするストッパー部から構成されることを特徴とする（１）記載のレンズ駆動装置。
【００１６】
本発明によれば、上述した磁路形成部は、移動体を位置決めするストッパー部から構成されることとしたので、移動体の位置決めを行いつつ、磁気回路のパーミアンスを向上させることができる。
【００１７】
（３）  前記ストッパー部は、前記移動体の周方向における移動を規制する第一規制部を備えていることを特徴とする（２）記載のレンズ駆動装置。
【００１８】
本発明によれば、上述したストッパー部には、移動体の周方向における移動を規制する第一規制部が設けられていることとしたので、この第一規制部によって、周方向において移動体が所定距離以上移動するのを規制することができる。
【００１９】
（４）  前記ストッパー部は、前記移動体の光軸方向における移動を規制する第二規制部を備えていることを特徴とする（２）又は（３）記載のレンズ駆動装置。
【００２０】
本発明によれば、上述したストッパー部には、移動体の光軸方向における移動を規制する第二規制部が設けられていることとしたので、この第二規制部によって、光軸方向において移動体が所定距離以上移動するのを規制することができる。
【００２１】
（５）  前記ストッパー部は、前記移動体のラジアル方向における移動を規制する第三規制部を備えていることを特徴とする（２）から（４）のいずれか記載のレンズ駆動装置。
【００２２】
本発明によれば、上述したストッパー部には、移動体の光軸方向における移動を規制する第三規制部が設けられていることとしたので、この第三規制部によって、ラジアル方向において移動体が所定距離以上移動するのを規制することができる。
【００２３】
（６）  前記磁路形成部は、前記移動体に形成された凹部に係合することを特徴とする（１）から（５）のいずれか記載のレンズ駆動装置。
【００２４】
本発明によれば、上述した磁路形成部は、移動体に形成された凹部に係合することとしたので、周方向，光軸方向，及びラジアル方向（径方向）において移動体が所定距離以上移動するのを規制することができる。
【発明の効果】
【００２５】
本発明に係るレンズ駆動装置によれば、移動体を駆動する際の推力を向上させることができる。また、磁気回路のパーミアンスを改善するにあたって、磁路形成部により光軸方向で集磁機能をもたせることとしたので、径方向におけるレンズ駆動装置のコンパクト化を図ることができる。
【発明を実施するための最良の形態】
【００２６】
以下、本発明を実施するための最良の形態について、図面を参照しながら説明する。
【００２７】
［機械構成］
図１は、本発明の実施の形態に係るレンズ駆動装置１の外観構成を示す斜視図である。図２は、本発明の実施の形態に係るレンズ駆動装置１の機械構成を示す分解斜視図である。
【００２８】
図１及び図２において、レンズ駆動装置１は、バックヨーク１１と、カバー１２と、スリーブ組１３（第一のスリーブ１３１及び第二のスリーブ１３２）と、スリーブ組１３の内周に取り付けられる鏡筒１４と、第一の板バネ１５と、ワイヤースプリング１６と、マグネット１７と、コイル組（第一のコイル１８１及び第二のコイル１８２）と、台座１９と、第三のスリーブ２０、第二の板バネ２１と、を有している。そして、レンズ駆動装置１は、移動体としての鏡筒１４やスリーブ組１３等を、光軸Ｌ方向に沿って被写体（撮像対象）に近づくＡ方向（前側）、被写体とは反対側（像側）に近づくＢ方向（後側）の双方向に移動させるものである（図１参照）。
【００２９】
なお、一又は複数枚のレンズを備え、鏡筒１４の内部に取り付けられるレンズ組は、説明の便宜上、図示を省略している。鏡筒１４，スリーブ組１３，及び第三のスリーブ２０は、レンズを備えた「移動体」の一例として機能する。また、バックヨーク１１，台座１９は、鏡筒１４を光軸方向に移動可能に支持する「固定体」の一例として機能する。
【００３０】
バックヨーク１１は、例えば鋼板などの強磁性板から構成され、角筒状を呈している。また、バックヨーク１１は、レンズ駆動装置１の側面で露出し、その側面部を構成している。カバー１２は、固定体の被写体側を覆うものであって、その中央には、被写体からの反射光をレンズに取り込むための円形の入射窓が形成されている。台座１９は、像側で撮像素子（図示せず）を保持するものである。なお、本実施形態では、カバー１２は、バックヨーク１１の筒穴のうち被写体側の穴の一部を覆うようにしている。
【００３１】
第一のコイル１８１及び第二のコイル１８２は、鏡筒１４の外周面に光軸の方向に２段に配置され、円環状となっている。マグネット１７は、第一のコイル１８１及び第二のコイル１８２に対して外周側で対向し、バックヨーク１１の内周面のうち４箇所の角部分に固定される。
【００３２】
マグネット１７は、図２に示すように、８個で構成され、いずれにおいても内面と外面とが異なる極に着磁されている。また、本実施形態では、例えば、前側に配置されたマグネット１７では、内面がＮ極に着磁され、外面がＳ極に着磁され、後側に配置されたマグネット１７では、内面がＳ極に着磁され、外面がＮ極に着磁されている。なお、バックヨーク１１と、マグネット１７と、第一のコイル１８１及び第二のコイル１８２は、鏡筒１４などの移動体を光軸方向に駆動する「磁気駆動機構」の一例として機能する。
【００３３】
第一の板バネ１５及び第二の板バネ２１は、双方とも金属製の薄板から形成されており、光軸方向における厚さを同じにしている。これにより、生産性を高めることができるようになっている。
【００３４】
バックヨーク１１は、第一のコイル１８１及び第二のコイル１８２が配置されている領域の光軸方向の寸法、および、マグネット１７の光軸方向の寸法よりも大きくなっているため、マグネット１７と第一のコイル１８１との間に構成される磁路、及び、マグネット１７と第二のコイル１８２との間に構成される磁路からの漏れ磁束を少なくすることができる。その結果、鏡筒１４の移動量と、第一のコイル１８１及び第二のコイル１８２に流す電流との間のリニアリティを向上させることができる。
【００３５】
レンズ駆動装置１は、円環状のワイヤースプリング（磁性部材）１６を備えている。ワイヤースプリング１６は、マグネット１７との間に作用する磁気吸引力により、移動体（鏡筒１４等）に対して光軸方向の付勢力を印加する。このため、鏡筒１４が無通電時に自重で変位することを防止することができ、ひいては移動体（鏡筒１４等）に所望の姿勢を維持させることができる。なお、ワイヤースプリング１６は、移動体を構成するスリーブ組１３のうち被写体側（前側）の端面に配置されるとともに、移動体を構成するスリーブ組１３と第一の板バネ１５との間に介在するように配置される。
【００３６】
ここで、図２に示すように、カバー１２は、磁性材からなる板材であり、その外形はほぼ四角形となっている。また、カバー１２の外側端は、バックヨーク１１に接しながら固定されている。中央に入射窓が形成された板部１２１を有しており、その板部１２１の四隅内側には、撮像素子側（後側）に延びる爪部１２１ａ〜１２１ｄが形成されている。また、カバー１２は、磁気駆動機構より被写体側に配置されており（磁気駆動機構のうちバックヨーク１１に関しては、カバー１２は、少なくともバックヨーク１１の一部より被写体側に配置される）、固定体の被写体側を覆う「カバー部」の一例として機能する。以下、上述した爪部１２１ａ〜１２１ｄについて詳細に説明する。
【００３７】
［爪部］
図３は、レンズ駆動装置１におけるカバー１２を拡大したときの様子を示す図である。図３（ａ）は、カバー１２を被写体側から見たときの外観構成を示す平面図であって、図３（ｂ）は、カバー１２を撮像素子側から見たときの外観構成を示す斜視図であって、図３（ｃ）は、図３（ｂ）における爪部１２１ｃを拡大した様子を示す図である。
【００３８】
図３（ａ）〜図３（ｃ）に示すように、カバー１２の四隅内側には、爪部１２１ａ〜１２１ｄが形成されている。これら爪部１２１ａ〜１２１ｄは、第一の板バネ１５の４箇所のアーム部１５ａに対応するように形成されており、板部１２１からほぼ直角に折れ曲がっている（角部分はＲ面）。そして、本実施形態では、爪部１２１ａ〜１２１ｄを含めて、カバー１２は磁性材料（例えば鉄など）からできている。したがって、爪部１２１ａ〜１２１ｄは、磁気駆動機構と磁路を形成する「磁路形成部」の一例として機能する。
【００３９】
また、図３（ｃ）に示すように、カバー１２の爪部１２１ｃは、移動体（鏡筒１４など）の周方向における移動を規制する第一規制部としての第一規制面１２２と、移動体（鏡筒１４など）の光軸方向における移動を規制する第二規制部としての第二規制面１２３と、移動体（鏡筒１４など）のラジアル方向（径方向）における移動を規制する第三規制部としての第三規制面１２４，１２５と、を有している。このような各面を有することによって、ラジアル方向，光軸方向，及び周方向において、移動体が所定距離以上変位するのを防ぐことができる。
【００４０】
特に、本実施形態では、カバー１２の爪部１２１ａ〜１２１ｄを、スリーブ組１３のうち第一のスリーブ１３１（図２参照）の内周面に形成された凹部１３１ａ〜１３１ｄに係合させるようにしている。したがって、上述した規制面のうち、第一規制面１２２は、凹部１３１ｃの内周面によって所定距離以上の移動が規制される。以下、図４を用いて更に詳述する。
【００４１】
図４は、第一のスリーブ１３１及び第二のスリーブ１３２，第三のスリーブ２０，及びコイル組１８（第一のコイル１８１及び第二のコイル１８２）を拡大したときの様子を示す拡大図である。なお、図４（ｂ）は、図４（ａ）に示す図を、Ａ−Ａ'面で切断したときの断面図である。
【００４２】
図４（ａ）に示すように、第一のスリーブ１３１には８個の凹部が形成され、スリーブ組１３の内周に配置される鏡筒１４の外周面との間に空間を形成するようになっている。このようにして形成された空間において、マグネット１７が配置された光軸Ｌ方向に形成された凹部１３１ａ〜１３１ｄのそれぞれに、カバー１２の爪部１２１ａ〜１２１ｄが係合するようになっている。特に、凹部１３１ｃに着目すると、内周面１３１ｅは、爪部１２１ｃの第一規制面１２２と対向し、移動体の周方向における（所定距離以上の）移動を規制する。反対側の内周面１３１ｆについても、同様である。
【００４３】
また、第一のスリーブ１３１の内周面１３１ｇは、爪部１２１ｃの第三規制面１２５と対向し、移動体のラジアル方向における（所定距離以上の）移動を規制する。なお、爪部１２１ｃの第三規制面１２４については、鏡筒１４の前面に形成された突起部１４１（図２参照）の外周面と対向することによって、移動体のラジアル方向における（所定距離以上の）移動を規制する。
【００４４】
なお、凹部１３１ｂに着目すると、第一のスリーブ１３１の一面１３１ｈは、爪部１２１ｂの第二規制面１２３（図３（ｂ）参照）と対向しており、移動体の光軸方向における（所定距離以上の）移動を規制する。他の凹部１３１ａ，１３１ｃ，１３１ｄについても、同様である。
【００４５】
このように、カバー１２に形成された爪部１２１ａ〜１２１ｄは、第１のスリーブ１３１により形成された凹部と係合することによって、移動体を位置決めする「ストッパー部」の一例として機能する。
【００４６】
図５は、カバー１２に形成された爪部１２１ｂが、第一のスリーブ１３１の凹部１３１ｂに係合している様子を示す図である。
【００４７】
図５に示すように、爪部１２１ｂと凹部１３１ｂが係合した状態において、移動体は、第一のスリーブ１３１によって周方向及びラジアル外方向（径方向の外側へ）の移動が規制され、突起部１４１によってラジアル内方向（径方向の内側へ）の移動が規制され、第一のスリーブ１３１の一面１３１ｈによって光軸方向の移動が規制される。このように、移動体が所定距離以上移動するのを規制することができる。その結果、移動体のガタツキ防止にも貢献できる。
【００４８】
［基本動作］
本実施形態に係るレンズ駆動装置１において、移動体は、通常（第一のコイル１８１及び第二のコイル１８２の無通電時）は、撮像素子側（像側）に位置する。
【００４９】
ここで、ワイヤースプリング１６は、マグネット１７との間に作用する磁気吸引力によって、移動体の変位を規制している。ただし、ワイヤースプリング１６とマグネット１７との距離はある程度保たれているため、ワイヤースプリング１６とマグネット１７との磁気吸引力が強くなり過ぎることはない。これにより、移動体の中心軸がずれるのを防ぎ、ひいてはチルト特性の悪化を防ぐことができる。
【００５０】
このような状態において、第一のコイル１８１及び第二のコイル１８２に所定方向の電流を流すと、第一のコイル１８１及び第二のコイル１８２は、それぞれ上向き（前側）の電磁力を受けることになる。これにより、移動体（第一のコイル１８１及び第二のコイル１８２並びにスリーブ組１３及び第三のスリーブ２０が固着された鏡筒１４等）は、被写体側（前側）に移動し始める。このとき、第一の板バネ１５と第一のスリーブ１３１の前端との間、及び第二の板バネ２１と第三のスリーブ２０の後端との間には、それぞれスリーブ組１３に取り付けられた鏡筒１４等の移動体の移動を規制する弾性力が発生する。このため、移動体を前側に移動させようとする電磁力と、移動体の移動を規制する弾性力が釣り合ったとき、移動体は停止する。また、第一のコイル１８１及び第二のコイル１８２に逆方向の電流を流すと、第一のコイル１８１及び第二のコイル１８２は、それぞれ下向き（後側）の電磁力を受けることになる。
【００５１】
その際、第一のコイル１８１及び第二のコイル１８２に流す電流量と、第一の板バネ１５及び第二の板バネ２１によって移動体に働く弾性力を調整することで、鏡筒１４（移動体）を所望の位置に停止させることができる。なお、第一のコイル１８１、および第二のコイル１８２に電流を流さないようにすれば、移動体はその自重や弾性力によって後側へ移動する。そして、移動体に保持させたワイヤースプリング１６とマグネット１７との付勢力も利用することで、移動体を原点位置に静止することができる。また、電磁力と弾性力との釣り合いを利用して移動体（鏡筒１４）を停止させることで、衝突音の発生を防ぐことができるようになっている。
【００５２】
特に、本実施形態に係るレンズ駆動装置１では、カバー１２が磁性体によって構成されるとともに、カバー１２に形成された爪部１２１ａ〜１２１ｄが磁気駆動機構と磁路を形成しているので、漏れ磁束を少なくすることができ、磁気回路のパーミアンスが向上する。そのため、移動体の光軸方向に駆動する際の推力を向上させることができる。一般に、マグネットは、その磁束密度を高めることにより磁気吸引力が強くなる。すなわち、磁気回路（磁路）のパーミアンス（磁気抵抗の逆数、磁束の通り易さ）を大きくすれば、磁気抵抗が小さくなるので、エアギャップを高めるができる。そこで、本実施の形態では、コイルが外周に巻回された移動体の光軸方向に駆動する際の推力を高めるため、マグネットとコイルとの隙間、つまりエアギャップを通る磁束密度を高めることができる。
【００５３】
図６は、マグネット１７や第一のコイル１８１及び第二のコイル１８２などを通過する磁束の流れの概要を説明するための概念図である。なお、図６では、説明の便宜上、爪部１２１ｂの近辺についてのみ着目している。
【００５４】
図６（ａ）に示すように、従来のレンズ駆動装置のうち、カバー１２がないもの或いはカバー１２が非磁性体であるものについては、コイルをほとんど通過せずに、第一のスリーブ１３１の前側から漏れる漏れ磁束が多くなる。一方で、図６（ｂ）に示すように、本実施形態に係るレンズ駆動装置１によれば、カバー１２の爪部１２１ｂの端面が、光軸方向において、第一のコイル１８１（第二のコイル１８２）と対向する位置に配置されているので、マグネット１７から出た磁束のうち、第一のスリーブ１３１の前面から出た磁束は、第一のコイル１８１（第二のコイル１８２）に通過して、カバー１２の爪部１２１ｂに吸収され、カバー１２の板部１２１，バックヨーク１１を通過して、マグネット１７に戻ってくる。すなわち、図６（ａ）の場合と比べて、漏れ磁束が少ない。なお、爪部の位置は、第一のコイル（第二のコイル）と対向する位置であればよいが、できるだけ、コイルの内側またはスリーブ側より内側の位置に配置するようにすればよい。
【００５５】
［実施例］
まず、所定の位置に移動体が停止したときにおけるコイル推力（移動体に加わる力）を測定した。カバー１２が非磁性体のときは、コイル推力は６．２０［ｇｆ］であったが、カバー１２が磁性体のときは、コイル推力は６．６９［ｇｆ］であった。これにより、カバー１２が磁性体のときの方が、０．４９［ｇｆ］だけコイル推力が大きいことが分かる。そのため、このときの方が、消費電力を少なくすることができる。
【００５６】
次に、非通電時に移動体が最後端にいる原点位置から通電後、前側に引っ張られるときの力を測定した。カバー１２が非磁性体のときは、コイル推力は５．８９［ｇｆ］であったが、カバー１２が磁性体のときは、コイル推力は６．１８［ｇｆ］であった。これにより、カバー１２が磁性体のときの方が、０．２９［ｇｆ］だけコイル推力が大きいことが分かる。そして、このときの方が、消費電力を少なくすることができる。
【００５７】
［変形例］
なお、カバー１２については、上述した爪部を形成しなくとも、磁性材で形成されていればよく、中央に入射窓が形成された板部全体を磁路形成部の一例として機能するようにしてもよい。また、爪部の位置を、スリーブよりも内側（鏡筒側）に伸ばして内ヨーク形状としてもよい。この場合も消費電力を少なくすることができる。
【００５８】
［実施形態の効果］
以上説明したように、本実施形態に係るレンズ駆動装置１によれば、磁性材料からなるカバー１２に、磁露形成部としての爪部１２１ａ〜１２１ｄを形成することとしたので、これらの存在によって、漏れ磁束を少なくすることができ、磁気回路（アクチュエータの磁気回路）のパーミアンスが向上し、ひいては移動体の光軸方向に駆動する際の推力を向上させることができる。特に、規定電流値という制約があったとしても、電流値を増大させずにコイル推力を高めることができる。
【００５９】
また、爪部１２１ａ〜１２１ｄにおける第一規制面，第二規制面，及び第三規制面によって、移動体が、それぞれ周方向，光軸方向，及びラジアル方向（径方向）に所定距離以上移動するのを規制することができる。その結果、移動体のガタツキ防止にも貢献することができる。
【００６０】
なお、レンズ駆動装置１は、カメラ付き携帯電話機の他にも、様々な電子機器に取り付けることが可能である。例えば、ＰＨＳ，ＰＤＡ，バーコードリーダ，薄型のデジタルカメラ，監視カメラ，車の背後確認用カメラ，光学的認証機能を有するドア等である。
【産業上の利用可能性】
【００６１】
本発明に係るレンズ駆動装置は、磁気回路のパーミアンスを向上させることが可能なものとして有用である。
【図面の簡単な説明】
【００６２】
【図１】本発明の実施の形態に係るレンズ駆動装置の外観構成を示す斜視図である。
【図２】本発明の実施の形態に係るレンズ駆動装置の機械構成を示す分解斜視図である。
【図３】レンズ駆動装置におけるカバーを拡大したときの様子を示す図である。
【図４】スリーブ組，第三のスリーブ，及びコイル組を拡大したときの様子を示す拡大図である。
【図５】カバーに形成された爪部が凹部に係合している様子を示す図である。
【図６】マグネットや第一のコイル及び第二のコイルなどを通過する磁束の流れの概要を説明するための概念図である
【符号の説明】
【００６３】
１  レンズ駆動装置
１１  バックヨーク
１２  カバー
１２１  板部
１２１ａ〜１２１ｄ  爪部
１３  スリーブ組
１３１  第一のスリーブ
１３２  第二のスリーブ
１３１ａ〜１３１ｄ  凹部
１４  鏡筒
１５  第一の板バネ
１６  ワイヤースプリング
１７  マグネット
１８  コイル組
１８１  第一のコイル
１８２  第二のコイル
１９  台座
２０  第三のスリーブ
２１  第二の板バネ
【図１】
2009047858.tif 000003
【図２】
2009047858.tif 000004
【図３】
2009047858.tif 000005
【図４】
2009047858.tif 000006
【図５】
2009047858.tif 000007
【図６】
2009047858.tif 000008